(57)【特許請求の範囲】
【請求項１】
プラズマディスプレイパネルに備えられた複数の放電セルの表示電極対にサステインパルスを交互に印加し、サステイン放電を発生させて前記プラズマディスプレイパネルに画像を表示させるプラズマディスプレイパネルの駆動方法であって、
前記サステインパルスは、半周期に１回放電が発生する１つの電圧ピークを有する１山放電電圧波形と、半周期に２回放電が発生する２つの極大値を有する２山放電電圧波形を含み、
前記１山放電電圧波形のサステインパルスに引き続いて前記２山放電電圧波形のサステインパルスを複数の所定数だけ連続させ、前記所定数の前記２山放電電圧波形のサステインパルス毎に前記１山放電電圧波形のサステインパルスを前記表示電極対に印加するとともに、
前記所定数の連続する前記２山放電電圧波形のサステインパルスにおいて、常に後に印加した前記２山放電電圧波形のサステインパルスの印加開始から２つ目の前記極大値にクランプするまでの時間を、先に印加した前記２山放電電圧波形のサステインパルスの印加開始から２つ目の前記極大値にクランプするまでの時間よりも長くしたことを特徴とするプラズマディスプレイパネルの駆動方法。
【請求項２】
前記２山放電電圧波形のサステインパルスの１つ目の前記極大値を含む電圧波形は、ＬＣ共振による電圧波形であることを特徴とする請求項１に記載のプラズマディスプレイパネルの駆動方法。
【請求項３】
前記１山放電電圧波形のサステインパルスと前記２山放電電圧波形のサステインパルスは、前記半周期が等しいことを特徴とする請求項１又は２に記載のプラズマディスプレイパネルの駆動方法。
【請求項４】
表示電極対を有する複数の放電セルを備えたプラズマディスプレイパネルと、
前記表示電極対に交互にサステインパルスを印加し、前記放電セルでサステイン放電を発生させるサステイン回路と、
該サステイン回路が発生する前記サステインパルスを制御するサステインパルス制御回路とを有するプラズマディスプレイ装置であって、
前記サステインパルス制御回路は、半周期に１回放電が発生する１つの電圧ピークを有する１山放電電圧波形のサステインパルスに引き続いて半周期に２回放電が発生する２つの極大値を有する２山放電電圧波形のサステインパルスを複数の所定数だけ連続させ、前記所定数の前記２山放電電圧波形のサステインパルス毎に前記１山放電電圧波形のサステインパルスを発生させるとともに、
前記所定数の連続する前記２山放電電圧波形のサステインパルスにおいて、常に後に印加した前記２山放電電圧波形のサステインパルスの印加開始から２つ目の前記極大値にクランプするまでの時間を、先に印加した前記２山放電電圧波形のサステインパルスの印加開始から２つ目の前記極大値にクランプするまでの時間よりも長くする制御を行うことを特徴とするプラズマディスプレイ装置。
【請求項５】
前記サステイン回路は、コイルを有する電力回収回路を含み、
前記２山放電電圧のサステインパルスの１つ目の前記極大値を有する電圧波形は、前記放電セルと前記コイルによるＬＣ共振により生成されることを特徴とする請求項４に記載のプラズマディスプレイ装置。
【請求項６】
前記サステインパルス制御回路は、前記１山放電電圧波形のサステインパルスと前記２山放電電圧波形のサステインパルスの前記半周期が等しくなるように制御を行うことを特徴とする請求項４又は５に記載のプラズマディスプレイ装置。
【発明の詳細な説明】
【技術分野】
【０００１】
本発明は、プラズマディスプレイパネルの駆動方法及びプラズマディスプレイ装置に関する。
【背景技術】
【０００２】
従来から、複数の放電セルを選択的に放電させて画像を表示する表示装置であって、複数の放電セルを含む表示パネルと、表示パネル内の選択された放電セルに駆動パルスを印加して第１の放電を発生させる第１の駆動手段と、第１の放電により駆動パルスの電圧が減少して第１の放電が少なくとも弱められた後に、駆動パルスの電圧を再び増加させることにより第１の放電に続けて第２の放電を発生させる第２の駆動手段とを備えたプラズマディスプレイ装置が知られている（例えば、特許文献１参照）。
【０００３】
かかるプラズマディスプレイ装置によれば、第１の放電では放電に必要な最低限の電力だけが投入されるので、第１の放電が弱まり始めた瞬間から電流制限により紫外線の飽和が緩和され、第１の放電の発光効率が向上する。この結果、点灯すべきすべての放電セルで発光効率の高い第１の放電が行われるとともに、さらに第２の放電も行われ、点灯すべきすべての放電セルの発光効率を向上させることができる。
【特許文献１】特開２００２−６８０５号公報
【発明の開示】
【発明が解決しようとする課題】
【０００４】
しかしながら、上述の特許文献１に記載の内容では、上述のような第１の放電及び第２の放電を発生させる駆動パルスを連続的に発生させる駆動方法については何ら考慮されていない。
【０００５】
ところで、通常の１つの駆動パルスで１回の放電を発生させて放電セルを発光させる駆動方法では、高電圧パルスを短時間に印加するため、放電自体は強い放電が発生し、放電後の放電セル内の壁電荷は十分な量が確保される。従って、この後に上述の特許文献１に記載の２回放電を実行することは可能である。しかしながら、上述の特許文献１に記載の１つの駆動パルスで２回の放電を発生させる駆動方法では、放電強度が弱くなるため、放電後の放電セル内の壁電荷量が少なくなり、１回目の２回放電の後にそのまま２回放電を発生させる駆動パルスを連続して印加しても、次の放電では第１の放電が適切に発生せず、１回の放電に留まってしまうおそれがある。即ち、２回の電圧ピークを有する駆動パルスの電圧波形を連続的に発生させることができないと考えられる。
【０００６】
そこで、本発明は、１回のサステインパルス（半周期）の印加で、２回のサステイン放電を発生させる電圧波形を連続的に発生させ、高効率放電を行うことができるプラズマディスプレイパネルの駆動方法及びプラズマディスプレイ装置を提供することを目的とする。
【課題を解決するための手段】
【０００７】
上記目的を達成するため、第１の発明に係るプラズマディスプレイパネルの駆動方法は、プラズマディスプレイパネルに備えられた複数の放電セルの表示電極対にサステインパルスを交互に印加し、サステイン放電を発生させて前記プラズマディスプレイパネルに画像を表示させるプラズマディスプレイパネルの駆動方法であって、
前記サステインパルスは、半周期に１回放電が発生する１つの電圧ピークを有する１山放電電圧波形と、半周期に２回放電が発生する２つの極大値を有する２山放電電圧波形を含み、
前記１山放電電圧波形のサステインパルスに引き続いて前記２山放電電圧波形のサステインパルスを複数の所定数だけ連続させ、前記所定数の前記２山放電電圧波形のサステインパルス毎に前記１山放電電圧波形のサステインパルスを前記表示電極対に印加するとともに、
前記所定数の連続する前記２山放電電圧波形のサステインパルスにおいて、常に後に印加した前記２山放電電圧波形のサステインパルスの印加開始から２つ目の前記極大値にクランプするまでの時間を、先に印加した前記２山放電電圧波形のサステインパルスの印加開始から２つ目の前記極大値にクランプするまでの時間よりも長くしたことを特徴とするプラズマディスプレイパネルの駆動方法。
【０００８】
これにより、１回のサステインパルスの印加で、２回の放電を発生させるサステイン放電を連続的に発生させることができ、高効率のサステイン放電を実現することができる。また、放電セル内の壁電荷を十分に蓄えてから、放電効率の高い２山放電電圧波形を連続して印加することができ、２山放電を連続して発生させるのが容易な駆動周期とすることができる。
【０００９】
第２の発明は、第１の発明に係るプラズマディスプレイパネルの駆動方法において、
前記２山放電電圧波形のサステインパルスの１つ目の前記極大値を含む電圧波形は、ＬＣ共振による電圧波形であることを特徴とする。
【００１０】
これにより、１回目のサステイン放電においてはＬＣ共振による徐々に増加するサステインパルスを印加するとともに電力回収を行うことが可能となり、更に２回目のサステイン放電においては強い放電を確実に発生させ、２回放電を確実に発生させるとともに、放電効率を更に高めることができる。
【００１４】
これにより、放電セル内の壁電荷を十分に蓄えてから、放電効率の高い２山放電電圧波形を連続して印加することができ、２山放電を連続して発生させるのが容易な駆動周期とすることができる。
【００１５】
第３の発明は、第１又は第２の発明に係るプラズマディスプレイパネルの駆動方法において、
前記１山放電電圧波形のサステインパルスと前記２山放電電圧波形のサステインパルスは、前記半周期が等しいことを特徴とする。
【００１６】
これにより、サステインパルスの周期を一定にすることができるので、簡素な制御で高効率のサステイン放電を実現することができる。
【００１７】
第４の発明に係るプラズマディスプレイ装置は、表示電極対を有する複数の放電セルを備えたプラズマディスプレイパネルと、
前記表示電極対に交互にサステインパルスを印加し、前記放電セルでサステイン放電を発生させるサステイン回路と、
該サステイン回路が発生する前記サステインパルスを制御するサステインパルス制御回路とを有するプラズマディスプレイ装置であって、
前記サステインパルス制御回路は、半周期に１回放電が発生する１つの電圧ピークを有する１山放電電圧波形のサステインパルスに引き続いて半周期に２回放電が発生する２つの極大値を有する２山放電電圧波形のサステインパルスを複数の所定数だけ連続させ、前記所定数の前記２山放電電圧波形のサステインパルス毎に前記１山放電電圧波形のサステインパルスを発生させるとともに、
前記所定数の連続する前記２山放電電圧波形のサステインパルスにおいて、常に後に印加した前記２山放電電圧波形のサステインパルスの印加開始から２つ目の前記極大値にクランプするまでの時間を、先に印加した前記２山放電電圧波形のサステインパルスの印加開始から２つ目の前記極大値にクランプするまでの時間よりも長くする制御を行うことを特徴とする。
【００１８】
これにより、１つのサステインパルスで２回のサステイン放電を発生させる電圧波形を連続的に印加することができ、高効率の放電を行うことができる。また、放電効率の高い２山放電電圧波形を連続してサステインパルスとして印加する前に、強い放電を発生させて放電セル内の壁電荷量を十分蓄積し、安定して２回放電を連続発生させることができる。
【００１９】
第５の発明は、第４の発明に係るプラズマディスプレイ装置において、
前記サステイン回路は、コイルを有する電力回収回路を含み、
前記２山放電電圧のサステインパルスの１つ目の前記極大値を有する電圧波形は、前記放電セルと前記コイルによるＬＣ共振により生成されることを特徴とする。
【００２０】
これにより、１回目の放電時には電力回収回路を利用して更に高効率の放電を行うことができるとともに、２回目の放電時には強い放電を確実に発生させ、確実に２回放電を発生させるとともに、更に高効率の放電を実現することができる。
【００２３】
第６の発明は、第４又は第５の発明に係るプラズマディスプレイ装置において、
前記サステインパルス制御回路は、前記１山放電電圧波形のサステインパルスと前記２山放電電圧波形のサステインパルスの前記半周期が等しくなるように制御を行うことを特徴とする。
【００２４】
これにより、サステインパルスの周期を一定とすることができるので、簡素な制御で高効率の放電を実行することができる。
【発明の効果】
【００２５】
本発明によれば、プラズマディスプレイパネル及びプラズマディスプレイ装置の放電効率を向上させることができる。
【発明を実施するための最良の形態】
【００２６】
以下、図面を参照して、本発明を実施するための最良の形態の説明を行う。
【実施例１】
【００２７】
図１は、本発明を適用した実施例１に係るプラズマディスプレイ装置の基本構成例を示す図である。本実施例に係るプラズマディスプレイ装置は、プラズマディスプレイパネル１０と、アドレスドライバ２０と、Ｘサステイン回路３０と、Ｙサステイン回路４０と、Ｙスキャンドライバ５０と、制御回路部６０とを有する。
【００２８】
制御回路部６０は、サステインパルス制御回路６１を有し、アドレスドライバ２０、Ｘ電極を駆動するＸサステイン回路３０、Ｙ電極を駆動するＹサステイン回路４０、及びＹスキャンドライバ５０の制御を行う。
【００２９】
アドレスドライバ２０は、アドレス電極Ａ１，Ａ２，Ａ３，・・・に所定の電圧を供給する。以下、アドレス電極Ａ１，Ａ２，Ａ３，・・・の各々を又はそれらの総称を、アドレス電極Ａｊといい、ｊは添え字を意味する。
【００３０】
Ｙスキャンドライバ５０は、制御回路部６０及びＹサステイン回路４０の制御に応じて、Ｙ電極Ｙ１，Ｙ２，Ｙ３，・・・に所定の電圧を供給する。以下、Ｙ電極Ｙ１，Ｙ２，Ｙ３，・・・の各々を又はそれらの総称を、Ｙ電極Ｙｉといい、ｉは添え字を意味する。
【００３１】
Ｘサステイン回路３０は、サステイン放電の際、Ｘ電極Ｘ１，Ｘ２，Ｘ３，・・・にそれぞれ同一の電圧を有するサステインパルスを供給する。以下、Ｘ電極Ｘ１，Ｘ２，Ｘ３，・・・の各々を又はそれらの総称を、Ｘ電極Ｘｉといい、ｉは添え字を意味する。各Ｘ電極Ｘｉは相互接続され、同一の電圧レベルを有する。
【００３２】
Ｙサステイン回路４０は、サステイン放電の際、Ｘサステイン回路と同様に、Ｙスキャンドライバ５０を介して、各々のＹ電極Ｙｉに、同一の電圧を有するサステインパルスを印加する。
【００３３】
Ｘサステイン回路３０及びＹサステイン回路４０は、ともに電力回収回路を含むサステインパルス発生回路を備えてよいが、この点については、後述する。
【００３４】
プラズマディスプレイパネル１０では、Ｙ電極Ｙｉ及びＸ電極Ｘｉが水平方向に並列に延びる行を形成し、アドレス電極Ａｊが垂直方向に延びる列を形成する。Ｙ電極Ｙｉ及びＸ電極Ｘｉは、垂直方向に交互に配置される。リブ１１は、各アドレス電極Ａｊ間に設けられるストライプリブ構造を有する。
【００３５】
Ｙ電極Ｙｉ及びアドレス電極Ａｊは、ｉ行ｊ列の２次元行列を形成する。放電セルＣｉｊは、Ｙ電極Ｙｉ及びアドレス電極Ａｊの交点並びにそれに対応して隣接するＸ電極Ｘｉにより形成される。この放電セルＣｉｊが画素に対応し、この放電セルＣｉｊが放電することにより発光し、プラズマディスプレイパネル１０は２次元画像を表示することができる。放電セルＣｉｊ内のＸ電極Ｘｉ及びＹ電極Ｙｉは、その間に空間を有し、容量性負荷を構成する。
【００３６】
かかるプラズマディスプレイパネル１０は、１フィールドの画像を複数に分割したサブフィールドを用いて階調表現され、駆動される。この駆動方法は、サブフィールド法と呼ばれている。各サブフィールドは、放電セルＣｉｊの壁電荷を初期化するリセット期間と、アドレス電極ＡｊとＹ電極Ｙｉでアドレス放電を発生させ、発光させる放電セルＣｉｊを選択するアドレス期間と、アドレス期間に選択された放電セルＣｉｊのＸ電極ＸｉとＹ電極Ｙｉにサステインパルスを印加して、サステイン放電を発生させるサステイン期間とを有する。
【００３７】
Ｘ電極Ｘｉ及びＹ電極Ｙｉは、表示電極対をなし、サステイン期間において、サステインパルスがＸ電極ＸｉとＹ電極Ｙｉとに交互に印加され、サステイン放電を発生して発光し、画像表示を行う。Ｘ電極Ｘｉを維持電極と呼び、Ｙ電極Ｙｉを走査電極と呼んでもよい。サステイン放電は、階調表示の重み付けに応じた回数の放電がなされ、Ｘ電極Ｘｉ、Ｙ電極Ｙｉの各々に交互にサステインパルスが印加される度に、サステイン放電が発生する。よって、サステイン放電の放電効率を向上させることが、プラズマディスプレイパネル１０及びプラズマディスプレイ装置の発光効率の向上に繋がる。
【００３８】
サステインパルス制御回路６１は、Ｘサステイン回路３０及びＹサステイン回路４０を制御する。サステインパルス制御回路６１は、具体的には、表示電極対Ｘｉ、Ｙｉへの１回のサステインパルスの電圧印加で、２回のサステイン放電を発生させるような電圧ピークを２つ有するサステインパルスを連続して発生させる制御を行い、Ｘサステイン回路３０及びＹサステイン回路４０を駆動制御する。この内容の詳細については、後述する。
【００３９】
制御回路部６０は、サステインパルス制御回路６１によるサステインパルスの制御の他、プラズマディスプレイパネル１０を駆動させるのに必要な制御を実行してよい。これにより、アドレスドライバ２０、Ｘサステイン回路３０、Ｙサステイン回路４０及びＹスキャンドライバ５０等を適切に駆動させ、プラズマディスプレイパネル１０が有する放電セルＣｉｊを放電させ、種々の動画像を表示することができる。また、制御回路部６０は、必要に応じて表示負荷率検出部等を備えてもよく、プラズマディスプレイパネル１０及びプラズマディスプレイ装置の種類と用途に応じて、種々の必要な機能が搭載されてよい。
【００４０】
次に、図２及び図３を用いて、Ｘサステイン回路３０及びＹサステイン回路４０内のＸサステインパルス発生回路３１及びＹサステインパルス発生回路４１の構成及び動作について説明する。
【００４１】
図２は、Ｘサステイン回路３０及びＹサステイン回路４０内に搭載されているＸサステインパルス発生回路３１及びＹサステインパルス発生回路４１と、プラズマディスプレイパネル１０内の放電セルＣｉｊの構成を示した回路図である。なお、図２において、走査パルスおよび初期化電圧波形を発生させる回路は省略している。
【００４２】
Ｙサステインパルス発生回路４１は、電力回収回路４２とクランプ回路４３とを備えている。電力回収回路４１は、電力回収用のコンデンサＣｙ、スイッチング素子ＬＵｙ、ＬＤｙ、逆流防止用のダイオードＤｙ１、Ｄｙ２、共振用のコイルＬｙを備えている。また、クランプ回路４３は、電圧値がＶｓである電源ＶＳにＹ電極Ｙｉをクランプするためのスイッチング素子ＣＵｙ、およびＹ電極Ｙｉを接地電位にクランプするためのスイッチング素子ＣＤｙを備えている。そして電力回収回路４２およびクランプ回路４３は、Ｙスキャンドライバ５０（サステイン期間中は短絡状態となるため図示せず）を介して、プラズマディスプレイパネル１０の容量性負荷を構成する放電セルＣｉｊのＹ電極Ｙｉに接続されている。
【００４３】
電力回収部４２は、容量性負荷の放電セルＣｉｊとコイルＬｙとをＬＣ共振させてサステインパルスの立ち上がりおよび立ち下がりを行う。サステインパルスの立ち上がり時には、電力回収用のコンデンサＣｙに蓄えられている電荷をスイッチング素子ＬＵｙ、ダイオードＤｙ１およびコイルＬｙを介して放電セルＣｉｊに移動する。維持パルスの立ち下がり時には、放電セルＣｉｊに蓄えられた電荷を、コイルＬｙ、ダイオードＤｙ２およびスイッチング素子ＬＤｙを介して電力回収用のコンデンサＣｙに戻す。こうしてＹ電極Ｙｉへサステインパルスを印加する。このように、電力回収回路４２はＬＣ共振によってＹ電極Ｙｉの駆動を行うため消費電力が少なくなる。なお、電力回収用のコンデンサＣｙは容量性負荷の放電セルＣｉｊに比べて十分に大きい容量を持ち、電力回収回路４２の電源として働くように、電源ＶＳの電圧値Ｖｓの半分の約Ｖｓ／２に充電されている。
【００４４】
クランプ回路４３は、スイッチング素子ＣＵｙを介してＹ電極Ｙｉを電源ＶＳに接続し、Ｙ電極Ｙｉを電圧Ｖｓにクランプする。また、スイッチング素子ＣＤｙを介してＹ電極Ｙｉを接地し、０（Ｖ）にクランプする。このようにしてクランプ回路４３はＹ電極Ｙｉを駆動する。したがって、クランプ回路４３による電圧印加時のインピーダンスは小さく、強いサステイン放電による大きな放電電流を安定して流すことができる。
【００４５】
こうしてサステインパルス発生回路４１は、スイッチング素子ＬＵｙ、ＬＤｙ、ＣＵｙ、ＣＤｙを制御することにより、電力回収回路４２とクランプ回路４３とを用いてＹ電極Ｙｉにサステインパルスを印加する。なお、これらのスイッチング素子ＬＵｙ、ＬＤｙ、ＣＵｙ、ＣＤｙは、ＭＯＳＦＥＴやＩＧＢＴ等の一般に知られた半導体素子を用いて構成することができる。
【００４６】
Ｘサステインパルス発生回路３１は、電力回収用のコンデンサＣｘ、スイッチング素子ＬＵｘ、ＬＤｘ、逆流防止用のダイオードＤｘ１、Ｄｘ２、共振用のインダクタＬｘを有する電力回収回路３２と、Ｘ電極Ｘｉを電圧Ｖｓにクランプするためのスイッチング素子ＣＵｘおよびＸ電極Ｘｉを接地電位にクランプするためのスイッチング素子ＣＤｘを有するクランプ回路３３とを備え、プラズマディスプレイパネル１０の容量性負荷を構成する放電セルＣｉｊのＸ電極Ｘｉに接続されている。なお、Ｘサステインパルス発生回路３１の動作はＹサステインパルス発生回路４１と同様であるので、その説明を省略する。
【００４７】
次に、図２及び図３を用いて、図２に示したＸサステインパルス発生回路３１及びＹサステインパルス発生回路４１により発生される、サステインパルスの電圧波形の例について説明する。図３は、Ｙサステインパルス発生回路４１のスイッチング素子ＬＵｙ、ＬＤｙ、ＣＵｙ、ＣＤｙのオン・オフ状態と、容量性負荷である放電セルＣｉｊに印加されるＹサステインパルスの出力電圧波形との関係を示したタイミングチャートである。
【００４８】
図３において、１サステインパルス、つまりＹサステインパルスの半周期分Ｔ／２の電圧波形と、スイッチング素子ＬＵｙ、ＬＤｙ、ＣＵｙ、ＣＤｙのオン・オフのタイミングが示されている。図３の横軸は時刻ｔ〔ｓ〕であり、縦軸は電圧Ｖ〔Ｖ〕を示している。
【００４９】
図３において、ｔ＝ｔ０のとき、スイッチング素子ＬＵｙがオンとなり、電力回収用コンデンサＣｙに蓄えられている電荷が、スイッチング素子ＬＵｙ、ダイオードＤｙ１、コイルＬｙを経由して放電セルＣｉｊに移動し、電流が流れる。このとき、コイルＬｙと放電セルＣｉｊのＬＣ共振により、ｔ＝ｔ０からｔ＝ｔ１０まで、緩やかに曲線的に出力電圧が上昇する。
【００５０】
次に、ｔ＝ｔ１０のとき、スイッチング素子ＣＵｙがオンとなる。これにより、出力電圧は電源電圧Ｖｓにクランプされる。出力電圧Ｖは、ｔ＝ｔ１０でＶ＝Ｖ１であったが、電源電圧Ｖｓまで直線的に急激に出力電圧が上昇する。
【００５１】
ｔ＝ｔ２０のとき、スイッチング素子ＬＵｙがオフとなり、出力電圧Ｖは、電源電圧Ｖｓと同電位のＶ＝Ｖｓとなり、電圧ピーク値Ｖｓに到達している。
【００５２】
その後、ｔ＝ｔ３０までスイッチング素子ＣＵｙのオン状態が継続され、出力電圧Ｖは、電圧ピーク値のＶ＝Ｖｓに保たれる。また、ｔ＝ｔ３０のとき、スイッチング素子ＣＵｙはオフとされるが、容量性負荷を構成する放電セルＣｉｊに充電な電荷が蓄えられているため、出力電圧Ｖは、Ｖ＝Ｖｓに維持される。
【００５３】
ｔ＝ｔ２０から、ｔ＝ｔ３０又は次に説明するｔ＝ｔ４０との間の期間で、放電セルＣｉｊの表示電極対Ｘｉ、Ｙｉの間でサステイン放電が発生する。
【００５４】
ｔ＝ｔ４０のとき、スイッチング素子ＬＤｙがオンとなる。放電セルＣｉｊに蓄えられていた電荷が、コイルＬｙ、ダイオードＤｙ２及びスイッチング素子ＬＤｙを経由して電力回収用のコンデンサＣｙに移動し、電流が流れる。このとき、放電セルＣｉｊとコイルＬｙのＬＣ共振により、サステインパルスの出力電圧Ｖは、緩やかに下降する。そして、電力は、コンデンサＣｙに回収される。
【００５５】
出力電圧Ｖが、ＬＣ共振により電圧ピークＶｓからＶ２にまで下降したら、ｔ＝ｔ５０において、スイッチング素子ＣＤｙをオンとし、出力電圧Ｖを接地電位のＶ＝０〔Ｖ〕にクランプする。出力電圧Ｖは、急激に下降する。
【００５６】
ｔ＝ｔ６０のとき、スイッチング素子ＬＤｙをオフとし、出力電圧ＶはＶ＝０にクランプしている。そして、その後しばらくスイッチング素子ＣＤｙはオン状態が継続され、出力電圧Ｖは、Ｖ＝０の状態が維持される。
【００５７】
次は、Ｘサステインパルス発生回路３１において、図３と同様のタイミングチャートに従い、サステインパルスが生成され、表示電極対Ｘｉ、Ｙｉに印加されて逆極性のサステイン放電が発生する。この間、Ｙサステインパルスは印加されず、Ｖ＝０の状態が保たれており、Ｘサステインパルスの印加が終了したら、次のＹサステインパルスが印加されることになる。なお、Ｘサステインパルス発生回路３１の動作については、スイッチング素子ＬＵｙ、ＬＤｙ、ＣＵｙ、ＣＤｙをスイッチング素子ＬＵｘ、ＬＤｘ、ＣＵｘ、ＣＤｘに置き換え、同様にコイルＬｙをコイルＬｘ、電力回収用のコンデンサＣｙをＣｘ、逆流防止用のダイオードＤｙ１、Ｄｙ２をダイオードＤｘ１、Ｄｘ２に置き換えれば、図３の説明をそのまま適用できるので、その説明を省略する。
【００５８】
このように、サステインパルス発生回路３１、４１のスイッチング素子ＬＵｘ、ＬＤｘ、ＣＵｘ、ＣＤｘ、ＬＵｙ、ＬＤｙ、ＣＵｙ、ＣＤｙのオン・オフタイミングを制御することにより、サステインパルスの電圧波形を制御することができる。かかるスイッチング素子ＬＵｘ、ＬＤｘ、ＣＵｘ、ＣＤｘ、ＬＵｙ、ＬＤｙ、ＣＵｙ、ＣＤｙのタイミング制御は、図１で説明したサステインパルス制御回路６１において制御することができる。図３においては、１回のサステインパルスの印加で、１回の電圧ピークを有する電圧波形を発生する例について説明したが、本実施例に係るプラズマディスプレイパネル１０の駆動方法においては、１回のサステインパルスで、２回の極大値を発生させ、２回の放電を発生させるサステインパルスを連続的に印加する制御を行う。以下、図４を用いて、この内容について説明する。
【００５９】
図４は、実施例１に係るプラズマデシィスプレイパネル１０の駆動方法において発生させる、半周期で２回の電圧極大値を有するサステインパルスを示した図である。
【００６０】
図４において、Ｘサステインパルスと、Ｙサステインパルスと、発光状態の電圧波形とが、横軸を時間ｔ〔ｓ〕、縦軸を電圧Ｖ〔Ｖ〕として示されている。Ｘサステインパルス及びＹサステインパルスの双方のサステインパルスにおいて、電圧ピークが１つの通常のサステインパルスの電圧波形を１山放電電圧波形Ｆ、１山放電電圧波形Ｆの次に発生する電圧極大値が２つあるサステインパルスの電圧波形を第１の２山放電電圧波形Ｂ１、２山放電電圧波形Ｂ１の次に発生する電圧極大値が２つあるサステインパルスの電圧波形を第２の２山放電電圧波形Ｂ２と呼ぶこととする。
【００６１】
図４において、Ｘサステインパルスの最初のサステインパルスは、１山放電電圧波形Ｆであり、図３において説明した電圧波形と同様の波形である。つまり、サステインパルスの立ち上がりにおいて、ＬＣ共振開始からクランプまでのタイミングが早く（図３におけるｔ＝ｔ１０が早く）、略直線的に電圧ピークＶｓに到達し、そのまま電圧ピークＶｓが維持され、半周期の後半で電圧が下降し、１山の電圧ピークを有する電圧波形である。この場合には、放電セルＣｉｊの表示電極対Ｘｉ、Ｙｉにおいては、強い放電が１回だけ発生することになる。
【００６２】
一方、次のＹサステインパルスの電圧波形は、第１の２山放電電圧波形Ｂ１を示しており、期間Ｄ１の間に１つ目の極大値Ｖ＝Ｖｐ１を有し、期間Ｄ２の間に２つ目の極大値Ｖ＝Ｖｓを有している。これは、サステインパルス立ち上がり時のＬＣ共振において、クランプタイミングｔ＝ｔ１を遅らせ、ＬＣ共振の途中で、１回目の弱いサステイン放電を発生させるとともに、１回目の放電でサステインパルスの電圧が下降したタイミングに合わせてクランプを行い、ここで電源電圧Ｖｓを供給して時刻ｔ＝ｔ２で２回目の極大値Ｖｓに到達するような電圧波形となっている。２回目の電圧極大値であるＶｓにおいては、１回目のサステイン放電よりも強い２回目のサステイン放電が発生するので、第１の２山放電電圧波形Ｂ１は、半周期Ｔ／２の間に、２回のサステイン放電が発生するような電圧波形となる。これにより、放電が２山に分かれるので、高効率のサステイン放電を行うことができる。
【００６３】
１山放電電圧波形Ｆと第１の２山放電電圧波形Ｂ１を比較すると、放電の強さは、短時間で強い放電が発生する１山放電電圧波形Ｆの方が強いが、発光効率の方は、弱い放電が連続的に持続して発生する第１の２山放電電圧波形Ｂ１の方が高い。かかる第１の２山放電電圧波形Ｂ１を発生させるために必要な制御は、クランプのタイミングｔ＝ｔ１を１山放電電圧波形Ｆの場合（図３のｔ＝ｔ１０）よりも遅らせ、サステインパルスの立ち上がりにおいて、ＬＣ共振で弱い放電が発生するまでクランプを行わず、放電が発生するタイミングに合わせてクランプを行う制御である。かかる制御は、サステインパルス制御回路６１でクランプタイミングを調整することにより実現することができる。
【００６４】
次に、第２の２山放電電圧波形Ｂ２について説明する。第１の２山放電電圧波形Ｂ１を用いて１回目の２山放電を行った後は、放電セルＣｉｊの壁電荷量が、１山放電電圧波形Ｆによる１山放電を行った後よりも、減少している。よって、第１の２山放電電圧波形と同様の電圧波形のサステインパルスを連続して印加しても、２山放電が発生しない。
【００６５】
そこで、本実施例に係るプラズマディスプレイパネル１０の駆動方法においては、第１の２山放電電圧波形Ｂ１を印加した後、連続して第２の２山放電電圧波形Ｂ２を印加して２山放電を発生させる場合には、第２の２山放電電圧波形Ｂ２のクランプタイミングｔ＝ｔ５を、第１の２山放電電圧波形Ｂ１のクランプタイミングｔ＝ｔ２よりも更に遅らせることとしている。そして、ＬＣ共振による立ち上がりの電圧波形で１回目の放電が発生するまでクランプを行わず、１回目の放電が発生してｔ＝ｔ５で電圧が下降したタイミングに合わせて、クランプを行うようにしている。これにより、１山放電の後よりも放電セルＣｉｊ内の壁電荷が少なく、放電が発生し難くなっていても、クランプタイミングを第１の２山放電電圧波形Ｂ１よりも更に遅らせ、Ｄ１<Ｄ３とすることにより、第２の２山放電電圧波形によっても２山放電を発生させ、高効率のサステイン放電を実現することができる。上述のように、２山放電は発光効率が高いので、１サブフィールドにおける２山放電の頻度を増加させることにより、サステイン放電の放電効率を確実に向上させることができる。
【００６６】
なお、サステインパルスをＬＣ共振により立ち下げるタイミング（ｔ＝３、ｔ＝７）及びＶ＝０にクランプするタイミングは、１山放電電圧波形Ｆ、第１の２山放電電圧波形Ｂ１及び第２の２山放電電圧波形Ｂ２の総てにおいて等しくてよい。
【００６７】
また、サステインパルスの半周期Ｔ／２の長さについても、１山放電電圧波形Ｆ、第１の２山放電電圧波形Ｂ１及び第２の２山放電電圧波形Ｂ２のいずれにおいても等しくてよい。
【００６８】
このような、クランプタイミングを適切に設定する制御は、サステインパルス制御回路６１により実行されてよい。例えば、プラズマディスプレイパネル１０及びプラズマディスプレイ装置の種類と用途に応じて、予め所定のクランプタイミングが、１山放電電圧波形Ｆ、第１の２山放電電圧波形Ｂ１及び第２の２山放電電圧波形Ｂ２の各々に対して設定され、これに基づいてＸサステインパルス発生回路３１及びＹサステインパルス発生回路４１が制御されるように構成されてもよい。
【００６９】
なお、図４においては、第１の２山放電電圧波形Ｂ１と第２の２山放電電圧波形Ｂ２とが連続する前と後に、１山放電電圧波形Ｆのサステインパルスが印加されている例が示されている。１山放電電圧波形Ｆは、強い放電を発生させて、放電セルＣｉｊの壁電荷の量を整えることができるので、図４に示すように、２山放電電圧波形Ｂ１、Ｂ２が連続する前又は後に、適切なタイミングで１山放電電圧波形Ｆのサステインパルスを印加することが好ましい。
【００７０】
また、図４においては、２山放電電圧波形Ｂ１、Ｂ２の連続は、２回の連続に留めているが、３つ以上２山放電電圧波形を連続させるようにしてもよい。その場合には、常に前の２山放電電圧波形の立ち上がり時のクランプタイミングよりも、後の２山放電電圧波形の立ち上がり時のクランプタイミングを遅らせるようにし、２回目の電圧極大値Ｖｓにクランプするまでの時間が、前の２山放電電圧波形よりも後の２山放電電圧波形が長くなるように設定すればよい。
【００７１】
このように、２つ目の電圧極大値に達する時間を、前の２山放電電圧波形よりも後の２山放電電圧波形の方が長くなるように制御を行うことにより、２山放電を連続的に発生させ、サステイン放電の放電効率を向上させることができる。
【実施例２】
【００７２】
図５は、本発明を適用した実施例２に係るプラズマディスプレイパネル１０の駆動方法及びプラズマディスプレイ装置について説明するための図である。図５において、図４と同様に、Ｘサステインパルス、Ｙサステインパルス及び発光電圧の電圧波形が、横軸を時間ｔ〔ｓ〕として示されている。
【００７３】
図５において、最初にＸサステインパルスとして１つの電圧ピークＶｓを有する１山放電電圧波形Ｆが印加され、次に、２つの電圧極大値を有する第１の２山放電電圧波形Ｂ１ａがＹサステインパルスとして印加され、更に連続して第２の２山放電電圧波形Ｂ２ａがＸサステインパルスとして表示電極対Ｘｉ、Ｙｉに印加されている点は、実施例１の図４と同様である。
【００７４】
図５においては、第１の２山放電電圧波形Ｂ１ａ及び第２の２山放電電圧波形Ｂ２ａの立ち上がり時の電圧波形が、ＬＣ共振ではなく、クランプによっている点で、実施例１の図４の電圧波形と異なっている。このように、連続する２山放電電圧波形Ｂ１ａ、Ｂ２ａは、ＬＣ共振を利用せず、総てクランプにより電圧極大値が実現される２段放電によってもよい。この場合においても、２山放電を連続する場合には、後の２山放電においては、放電セルＣｉｊ内の壁電荷量が不十分であり、１つ目のサステイン放電が起こり難くなっているので、第１の２山放電電圧波形Ｂ１ａのクランプタイミングｔ＝ｔ１１よりも、第２の２山放電電圧波形Ｂ２ａのクランプタイミングｔ＝ｔ１５の方が、遅くなるように設定する。つまり、第１の２山放電電圧波形Ｂ１ａの２つ目の極大値Ｖ＝Ｖｐ１０にクランプするまでの時間ｄ１よりも、第２の２山放電電圧波形Ｂ２ａの２つ目の極大値Ｖ＝Ｖｐ２０にクランプするまでの時間ｄ３の方が、長くなるような制御を行う。
【００７５】
これにより、総てクランプによる２段放電を発生させる２山放電電圧波形Ｂ１ａ、Ｂ２ａが連続する場合であっても、後の２山放電電圧波形Ｂ２ａにおいても、確実に２回放電を発生させることができ、高効率のサステイン放電を実行することができる。
【００７６】
なお、総てのサステインパルスについて、半周期Ｔ／２の長さを同じとして良いことや、２山放電電圧波形Ｂ１ａ、Ｂ２ａが連続する前後の適切なタイミングで１山放電電圧波形Ｆのサステインパルスを挿入して壁電荷量を調整したり、２山放電電圧波形を３つ以上連続させたりしても良いことは、実施例１における説明と同様である。
【００７７】
なお、実施例２の態様による場合、Ｘサステインパルス発生回路３１及びＹサステインパルス発生回路４１は、電力回収回路３２、４２が不要となり、クランプに必要なスイッチング素子等を有する簡素化した回路として構成することができる。また、サステインパルス制御回路６１によるクランプ時間の設定及び制御は、実施例１と同様にして設定、制御を行うことができる。
【００７８】
実施例２の２段放電によれば、確実な電位固定制御により、確実に１つのサステインパルスで２回の放電を行わせるサステイン放電を連続して実行することができる。
【００７９】
以上、本発明の好ましい実施例について詳説したが、本発明は、上述した実施例に制限されることはなく、本発明の範囲を逸脱することなく、上述した実施例に種々の変形及び置換を加えることができる。
【図面の簡単な説明】
【００８０】
【図１】実施例１に係るプラズマディスプレイ装置の基本構成例を示す図である。
【図２】Ｘサステインパルス発生回路３１及びＹサステインパルス発生回路４１と放電セルＣｉｊの構成を示した回路図である。
【図３】スイッチング素子ＬＵｙ、ＬＤｙ、ＣＵｙ、ＣＤｙのオン・オフ状態と、放電セルＣｉｊに印加されるＹサステインパルスの関係を示したタイミングチャートである。
【図４】実施例１における半周期で２回の極大値を有するサステインパルス波形図である。
【図５】実施例２に係るプラズマディスプレイパネル１０の駆動方法及びプラズマディスプレイ装置の説明図である。
【符号の説明】
【００８１】
１０    プラズマディスプレイパネル
１１    リブ
２０    アドレスドライバ
３０    Ｘサステイン回路
３１    Ｘサステインパルス発生回路
３２、４２    電力回収回路
３３、４３    クランプ回路
４０    Ｙサステイン回路
４１    Ｘサステイン回路
５０    Ｙスキャンドライバ
６０    制御回路部
６１    サステインパルス制御回路
【図１】
0004589973.tif 000002
【図２】
0004589973.tif 000003
【図３】
0004589973.tif 000004
【図４】
0004589973.tif 000005
【図５】
0004589973.tif 000006